(57)【要約】【課題】  各種タイプのかぎに応用可能で、安全な盗難防止の効果を達成可能な三層式のかぎセンターを提供する。【解決手段】  １個のかぎケース１、１個の制限器２、複数のかぎプレート３及び１個の回転バレル４で構成される。制限器２が丸プレートボディ又は楕円プレートを後段として、かぎケース１の中に貫通して設けられ、複数のかぎプレート３を制限器２の収納空間の中に収納させ、制限器２のリミットプレートを複数のかぎプレート３の両側に囲ませ、その回転バレル４を枠形の複数かぎプレート３の中に貫通して置く。弾性ユニットが形成されてから、回転バレルの下側にコンタクトさせ、隠れ式のダブルラッチかぎセンターが形成される。かぎを回転バレル４に挿入すると、かぎボール層を回して動かし、そのかぎボールをケースから離脱してから、回してかぎを開いて、そのかぎボールをＹ軸に上下で浮かんで動かす。【選択図】    図１
2005105799.tif 000002
【特許請求の範囲】
【請求項１】
三層式のかぎセンターであって、それは１個のかぎケース、１個の制限器、複数のかぎプレート及び１個の回転バレルで構成され、
かぎケースの形は中空のバレルであり、その中間に１個の丸穴が設けられ、その丸穴の内壁に二つの相対に対応する場所を選んで、それぞれ一つの軸方向へ伸びるコンケーブスロットが設けられ、
制限器は、かぎケースの中に設けられ、その両側に１枚のリミットプレートを設けることで、上下に開放状態を呈する収納空間が形成され、複数のかぎプレートを収納して、整然とする配列状態をさせることで、制限器を上下に滑らせ、複数のかぎプレートに連動させて回転することで、かぎの開く目的を達成可能なパーツであり、
複数のかぎプレートは、複数の枠形のプレートを隣接で配列することで構成され、それぞれの枠形のかぎプレートは、上、下の縁にアークサイドが設けられ、その両側に対称的の平行するサイドが設けられ、それぞれのかぎプレートが枠の外部での上縁か下縁に、凸塊形状の上のかぎボールか下のかぎボールのいずれかを選定可能であり、それぞれのかぎプレートの枠の内部での上縁に、傾きアーク面が設けられ、又、それぞれのかぎプレートの枠の内部での下縁に弾性ユニットが設けられ、
回転バレルは、かぎのインサート、回して開くことを提供する構造で、それは丸凸柱が形成され、その前端にかぎ穴を設けて、軸方向へ回転バレルまでに伸びて、そのバレルの胴に一つのコンケーブスロットが形成され、
制限器が丸プレートボディ又は楕円プレートを後段として、かぎケースの中に貫通して設けられ、複数のかぎプレートを制限器の収納空間の中に収納させることで、制限器のリミットプレートを複数のかぎプレートの両側に囲ませ、更に、その回転バレルを枠形の複数かぎプレートの中に貫通して置くことで、弾性ユニットが形成されてから、回転バレルの下側にコンタクトさせ、隠れ式のダブルラッチかぎセンターが形成されることを特徴とする三層式のかぎセンター。
【請求項２】
前記複数のかぎプレートの傾きアーク面について、１個又は２個の傾きアーク面を対称的に設けることが可能であることを特徴とする請求項１記載の三層式のかぎセンター。
【請求項３】
その制限器は一つの丸プレートボディが形成され、その前端の両側にそれぞれ一つの半円形のリミットプレートを設けることで、その２枚のリミットプレートの中間に、上下開放する収納空間が形成され、その丸プレートボディの中に１個の丸穴が設けられていることを特徴とする請求項１記載の三層式のかぎセンター。
【請求項４】
その制限器は、金属プレートを曲げて畳むことで形成され、その前、後端に楕円プレートが形成され、その二つの楕円プレートの両側に、一つの平面プレート形状のリミットプレートが曲げて設けられ、それを接続することで、二つの制限器の間に、上下開放する収納空間が形成され、その二つの楕円プレートの中央にそれぞれ一つの丸穴が設けられていることを特徴とする請求項１記載の三層式のかぎセンター。
【請求項５】
その弾性ユニットはアーク弾性プレート形状を使用可能であり、それぞれのかぎプレートの枠の内部での下縁に１個のインサートスロットを設けることで、そのアーク弾性プレート形状の弾性ユニットをその中にインサートして固定可能であることを特徴とする請求項１記載の三層式のかぎセンター。
【請求項６】
その回転バレルの後端に一つの丸凸柱を設けることで、制限器と嵌めてから回転する状態が形成されることを特徴とする請求項１記載の三層式のかぎセンター。
【発明の詳細な説明】
【技術分野】
【０００１】
本発明は、三層式のかぎセンターに関する。
【背景技術】
【０００２】
従来の各種の盗難防止のかぎセンターの構造は、一つの回転バレル、一つのケース、少なくとも１列の上下のかぎボール及びスプリングで構成され、その回転バレルをケースの中に入れて、その回転バレル及びケースの中に少なくとも１列の直径方向の通し穴を設けることで、その下のかぎボール及び上のかぎボールにそれぞれ各通し穴が設けられる。又、その上のかぎボールのトップに、一つの圧縮スプリングを設けることで、その上、下のかぎボールを回転バレル及びケースにコンタクトさせて、ロックして回転を防止する状態が形成される。それを開く場合、かぎを使ってその回転バレルのかぎ穴の中に挿入すると、その下のかぎボール及び上のかぎボールを押して滑らせてから、その上、下の買いボールの接続する面がちょうどかぎセンター及びかぎケースの嵌める隙間の場所にある。それにより、順調に回転バレルを回してかぎを開くが、この従来の盗難防止のかぎセンターについて、普段その下のかぎボールを上のかぎボール及びスプリングにコンタクトされるため、回転バレルのかぎ穴に露出するので、それぞれの突出するかぎボールの位置を見えるため、誰かそのかぎを開きたい場合、プローブを利用して、そのかぎ穴に入って、それぞれのかぎボールを押しながら、一々を探知可能である。（横方向の力を入れる）そして模擬で仮かぎを作ってかぎを開ける。そのため、従来の盗難防止のかぎには、実用上に防護効果が良くない欠点があるのである。
【発明の開示】
【発明が解決しようとする課題】
【０００３】
したがって、本発明は、上記の問題を解決するためになされたものであり、各種タイプのかぎに応用可能で、安全な盗難防止の効果を達成可能な三層式のかぎセンターを提供することを目的とする。
【課題を解決するための手段】
【０００４】
上述の目的を達成するために本発明の請求項に記載の三層式のかぎセンターは、三層式のかぎセンターであって、それは１個のかぎケース、１個の制限器、複数のかぎプレート及び１個の回転バレルで構成される。
【０００５】
かぎケースの形は中空のバレルであり、その中間に１個の丸穴が設けられ、その丸穴の内壁に二つの相対に対応する場所を選んで、それぞれ一つの軸方向へ伸びるコンケーブスロットが設けられている。制限器は、かぎケースの中に設けられ、その両側に１枚のリミットプレートを設けることで、上下に開放状態を呈する収納空間が形成され、複数のかぎプレートを収納して、整然とする配列状態をさせることで、制限器を上下に滑らせ、複数のかぎプレートに連動させて回転することで、かぎの開く目的を達成可能なパーツである。複数のかぎプレートは、複数の枠形のプレートを隣接で配列することで構成され、それぞれの枠形のかぎプレートは、上、下の縁にアークサイドが設けられる。その両側に対称的の平行するサイドが設けられ、それぞれのかぎプレートが枠の外部での上縁か下縁に、凸塊形状の上のかぎボールか下のかぎボールのいずれかを選定可能である。それぞれのかぎプレートの枠の内部での上縁に、傾きアーク面が設けられ、又、それぞれのかぎプレートの枠の内部での下縁に弾性ユニットが設けられている。回転バレルは、かぎのインサート、回して開くことを提供する構造で、それは丸凸柱が形成され、その前端にかぎ穴を設けて、軸方向へ回転バレルまでに伸びて、そのバレルの胴に一つのコンケーブスロットが形成される。
【０００６】
制限器が丸プレートボディ又は楕円プレートを後段として、かぎケースの中に貫通して設けられ、複数のかぎプレートを制限器の収納空間の中に収納させることで、制限器のリミットプレートを複数のかぎプレートの両側に囲ませ、更に、その回転バレルを枠形の複数かぎプレートの中に貫通して置くことで、弾性ユニットが形成されてから、回転バレルの下側にコンタクトさせ、隠れ式のダブルラッチかぎセンターが形成される。
【０００７】
かぎを回転バレルに挿入すると、かぎの回転バレルがかぎボール層（二層関係）を回して動かし、そのかぎボールをケースから離脱してから、回してかぎを開いて（三層関係）、そのかぎボールをＹ軸に上下で浮かんで動かす。かぎボールの厚さが水平のＸ軸の上に変化することは、その機能が二次元の空間で作業することを示す。（即ち、かぎセンターの回転軸を１として、かぎボールをＹ軸の上に（垂直方向）浮かぶことを変数２として、かぎボールをＸ軸の上での幅（水平方向）を変数として（即ちＸ、Ｙの二軸を変化させる）、そのかぎボール（上下）の一次元空間に鑑別条件を増加して、二次元の作業空間になることで、鑑別率を高めて、かぎの持ち主以外のかぎを開くことを防止して、かぎの保護する効果を達成できるのである。
【発明を実施するための最良の形態】
【０００８】
以下、本発明の実施例を図面に基づいて説明する。
図１に示すように、本発明の実施例による三層式のかぎセンターは、１個のかぎケース１、１個の制限器２、複数のかぎプレート３及び１個の回転バレル４で構成される。１本のかぎ５を設けることで、かぎを開くのである。
【０００９】
かぎケース１は、盗難防止のかぎに設けられる中空のバレルであり、その中間に１個の丸穴１１を設けることで、制限器２、複数のかぎプレート３及び１個の回転バレル４を収納するが、その丸穴１１の内壁に二つの相対に対応する場所を選んで、それぞれ一つの軸方向へ伸びるコンケーブスロット１２が設けられている。
【００１０】
制限器２は、中空のかぎケース１の中に設けて、その両側に１枚のリミットプレート２２、２２Ａを設けることで、その中間に上下に開放状態を呈する収納空間２３、２３Ａが形成される。複数のかぎプレート３を収納及び制限（導き）して、整然とする配列状態をさせることで、制限器を上下に滑らせ、連動させて回転することで、かぎの開く目的を達成可能なパーツとなる。図１の通り、それは具体的に一つの丸プレートボディ２１が形成され、その前端の両側にそれぞれ一つの半円形のリミットプレート２２を設けることで、その中間に上下開放する収納空間２３が形成される。その丸プレートボディ２１の中に１個の丸穴２４が設けられる。
【００１１】
図２に示すようにその丸プレートボディ２１の後端にかぎのその他のパーツ（例えば動かすプレート）と接続可能な接続部２５が設けられる。金属プレートでプレス又は曲げて畳むことで形成される。その前、後端にそれぞれ楕円プレート２１Ａ、２１Ｂトが形成され、その二つの楕円プレート２１Ａ、２１Ｂの両側に、一つの平面プレート形状のリミットプレート２２Ａが連結することを呈することで、その中間に、上下開放する収納空間２３Ａが形成されるが、その選定された２枚の楕円プレート２１Ａ、２１Ｂの中央にそれぞれ一つの丸穴２４Ａ、２４Ｂが設けられるし、後楕円プレート２１Ｂの後端をその他のパーツと接続させる。
【００１２】
複数のかぎプレート３があり、複数の枠形のプレートを隣接で配列することで構成される。それぞれの枠形のかぎプレート３は、上、下の縁にアークサイド３１が設けられ、その両側に対称的の平行するサイド３２が設けられ、それぞれのかぎプレート３が枠の外部での上縁か下縁のアークサイド３１に、凸塊形状の上のかぎボール３３及び下のかぎボール３３’のいずれかを選定可能である。それぞれのかぎプレート３の枠の内部での上縁に、傾きアーク面３４が設けられ、又、それぞれのかぎプレート３の枠の内部での下縁に一つの弾性ユニット３５が設けられている。その弾性ユニット３５はアーク弾性プレート形状を使用することも可能である。それぞれのかぎプレート３の枠の内部での下縁に１個のインサートスロット３６を設けることで、そのアーク弾性プレート形状の弾性ユニット３５をその中にインサートして固定可能である。
【００１３】
回転バレル４はかぎ５をインサートして回すことに提供される。かぎ５を制御して、その複数のかぎプレート３のパーツを動かすことで、１個の丸柱が形成され、その前端に直径がより大きい丸プレート４１が設けられる。その丸プレート４１の前端に一つのかぎ穴４２を設けて、軸方向へ回転バレル４の胴までに伸ばし、そのバレルの胴に一つのコンケーブスロット４３が形成される。又、その回転バレル４の後端に一つの丸凸柱４４を設けることで、制限器２の丸穴２４、丸穴２４Ｂと嵌めてから回転する状態が形成される。
【００１４】
かぎ５は正確にかぎを開く工具である。それは後端での１枚の回しプレート５１及び前端でのかぎプレート５２で構成され、そのかぎプレート５２の選定した一つの縁に、複数のかぎプレート３の位置と対応するコンケーブスロート５３及び凸歯５４が設けられる。
【００１５】
図１及び図３に示すように、制限器２が丸プレートボディ２１又は楕円プレート２１Ｂを後段として、かぎケース１の中に貫通して設けられ、複数のかぎプレート３を制限器２の収納空間２３、収納空間２３Ａの中に収納させることで、制限器２のリミットプレート２２、リミットプレート２２Ａを複数のかぎプレート３の両側に囲ませる。更に、その回転バレル４を枠形の複数かぎプレート３の中に貫通して置くことで、弾性ユニット３５が形成されてから、回転バレル４の下側にコンタクトさせる。又、回転バレル４の後端の丸凸柱４４を制限器２の丸穴２４、丸穴２４Ｂと嵌めてから回転する状態になる。それによるこの発明の三層式のかぎセンターが構成されるのである。
【００１６】
図３及び図５に示すように、この発明の構造設計を応用して、その複数のかぎプレート３が弾性ユニット３５の弾力にコンタクトされて常態で沈下するため、若干のかぎプレート３の上のかぎボール３３が常態でかぎケース１の上方でのコンケーブスロット１２を離脱する。又、若干のかぎプレート３の下のかぎボール３３’が常態でかぎケース１の下方にあるコンケーブスロット１２に嵌める。又、下のかぎボール３３’の嵌める構造を利用して、 複数のかぎプレート３及び制限器２の回転可能でないロックする常態が形成されるのである。
【００１７】
図４及び図８に示すように、かぎ５を使用して、回転バレル４のかぎ穴４２に貫通して挿入させて、そのコンケーブスロート５３及び凸歯５４を回転バレル４のコンケーブスロット４３に露出する場合、コンケーブスロート５３及び凸歯５４をそれぞれのかぎプレート３と対応して、傾きアーク面３４の内側に位置する。それによる、かぎ５を回して、その凸歯５４を回転させて、傾きアーク面３４をコンタクトして、上に向かう力を生じさせることで、下のかぎボール３３’のある若干のかぎプレート３を上に滑って、かぎケース１のコンケーブスロット１２から離脱する。図４及び図７に示すように、その上縁に上のかぎボール３３の若干のかぎプレート３があるので、コンケーブスロート５３を回転して、傾きアーク面３４を離脱する（避ける）動作を行う場合、上のかぎボール３３を常態で脱利一を維持できるので、複数のかぎプレート３及び制限器２を回して、かぎを開く機能を達成できるのである。
【００１８】
図９以下に示すように、模擬する仮かぎ５０を使って、かぎを開く場合、その仮かぎ５０のコンケーブスロート５０３及び凸歯５０４の幅、高さ及び作用方向は、それぞれ対応するかぎプレートの厚さ、滑る高さ及びかぎボールの離脱方向と完全に一致しなければならない。図９及び図１０に示すようにその中に、１個のコンケーブスロート５０３を下のかぎボール３３’を有するかぎプレート３と対応する場合、仮かぎ５０を回しても、かぎプレート３の傾きアーク面３４を上に押して、下のかぎボール３３’を上に離脱することができないので、かぎを開くことができない。且つ、図１１及び図１２に示すように、その中に、１個の凸歯５０４を上のかぎボール３３のあるかぎプレート３と合わせて一致する場合、仮かぎ５０を回すると、改めてそのかぎプレート３の傾きアーク面３４を押して、その上のかぎボール３３をかぎケース１の上方でのコンケーブスロット１２に嵌めてロックするので、当然かぎを開けない。誰か手工で作った仮かぎ５０でかぎを開けたい場合、その仮かぎ５０のコンケーブスロート５０３及び凸歯５０４の幅、高さ及びそれぞれ対応するかぎプレートの厚さの滑る高さと一致しないので、精確にかぎプレート３を押してかぎを開けない。又、プローブなどの工具を使って、かぎ穴４２の中に入れて、直接かぎプレート３を押して動かすことで、そのかぎを開きたい場合、その上、下のかぎボール３３、かぎボール３３’が隠れ状態を呈するし、かぎプレートは集団式を使用するので、必ず遮蔽効果を生じる（群の中に、それぞれ表現しない）ので、それぞれのかぎプレートの探知効果が良くないし、かぎプレートを上下に滑って動かすことは、アーク曲線の関係を利用して、垂直及び水平の力を生じるので、その探知の効果が必ず不良なので、かぎ穴４２の中から、どのかぎプレート３を上に押すべきか、どのかぎプレートを上に押せないを探知できない。そうすると、探知工具を利用してかぎを開くことができない。上述による、この発明の実施例で構成されたかぎセンターの構造は、（１）機密性（２）遮蔽効果（３）アーク曲線の特性を持つため、相当に完備なものであることをわかるし、更に、もっとも安全な盗難防止効果を得られるものである。
【００１９】
図１３及び図１４に示すように、本発明の実施例でのそれぞれ複数のかぎプレート３の枠内部の上縁に、傾きアーク面３４が設けられるが、その傾きアーク面３４は、１個又は２項の対称的な傾きアーク面３４を設けられる。又、１個の傾きアーク面３４を設ける場合、そのかぎ５を利用して、単一方向でかぎプレート３を押してから、単一方向でその制限器２を回すことができるので、その制限器２とその他の装置と接続する構造による、単一方向で回転するかぎを開ける。若し、そのかぎの開閉は、かぎを利用して、双方向へ回すことが必要する場合（例えばよく見える多段式のかぎなど）、この発明は、複数のかぎプレート３の２個の対称的な傾きアーク面３４の構造を利用して、順方向へ回してロックすること及び逆方向へ回して開く効果を達成できるのである。
【００２０】
この発明の主要な目的は、三層式のかぎセンターの設計を提供するものである。従来のかぎの二層式のかぎセンターを利用して、即ち、かぎを回転バレルの中に挿入して、回転バレルをかぎボールのケースと離脱してから、回してかぎを開く（二層関係）。そのかぎをかぎボールとの直接なかぎを開く関係を三層式のかぎセンターに転じる。即ち、かぎを回転バレルに挿入してから、かぎの回転バレルを利用して、かぎボールを押して動かす（二層関係）ことで、かぎボールをケースから離脱してから、回してかぎを開く（三層関係）ので、それは間接にかぎを開く関係である。そのため、かぎのデータを封じて、外部へ流れないので、完全にかぎの機能を守れるのである。
【図面の簡単な説明】
【００２１】
【図１】本発明の一実施例による三層式のかぎセンターを示す分解状態の立体図である。
【図２】本発明の別の実施例による三層式のかぎセンターの制限器を示す立体図である。
【図３】本発明の一実施例による三層式のかぎセンターのかぎプレートの下のかぎボールを嵌めてロックされた状態を示す断面図である。
【図４】本発明の一実施例による三層式のかぎセンターのかぎプレートの下のかぎボールを開いている状態から解除された断面図である。
【図５】本発明の一実施例による三層式のかぎセンターのかぎプレートの上のかぎボールを示す常態離脱状態の説明図である。
【図６】本発明の一実施例による三層式のかぎセンターのかぎプレートの下のかぎボールの常態嵌める状態を示す説明図である。
【図７】本発明の一実施例による三層式のかぎセンターのかぎのコンケーブスロットを傾きアーク面から離脱する状態を示す説明図である。
【図８】本発明の一実施例による三層式のかぎセンターのかぎの凸歯をかぎプレートの傾きアーク面をコンタクトして押す状態を示す説明図である。
【図９】本発明の一実施例による三層式のかぎセンターの仮かぎをかぎプレートにコンタクトして押していないため、下のかぎボールがロック状態になった断面図である。
【図１０】本発明の一実施例による三層式のかぎセンターの仮かぎをかぎプレートにコンタクトして押していないため、下のかぎボールがロック状態になった説明図である。
【図１１】本発明の一実施例による三層式のかぎセンターの仮かぎをかぎプレートにコンタクトして押すので、上のかぎボールがロックされた断面図である。
【図１２】本発明の一実施例による三層式のかぎセンターの仮かぎをかぎプレートにコンタクトして押すので、上のかぎボールがロックされた説明図である。
【図１３】本発明の一実施例による三層式のかぎセンターのかぎプレートが二つの傾きアーク面を実施する説明図である。
【図１４】本発明の一実施例による三層式のかぎセンターのかぎプレートが二つの傾きアーク面を実施する動作説明図である。
【符号の説明】
【００２２】
１  かぎケース、２  制限器、３  複数のかぎプレート、４  回転バレル、５  かぎ、１１  丸穴、１２  コンケーブスロット、２１  丸プレートボディ，２１Ａ  楕円プレート、２２  リミットプレート、２３  収納空間、２４  丸穴、２５  接続部、３１  アークサイド、３２  平行するサイド、３３  上のかぎボール、３３’  下のかぎボール、３４  傾きアーク面、３５  弾性ユニット、３６  インサートスロット、４１  丸プレート、４２  かぎ穴、４４  丸凸柱、５１  回しプレート、５２  かぎプレート、５３  コンケーブスロート、５４  凸歯
【図１】
2005105799.tif 000003
【図２】
2005105799.tif 000004
【図３】
2005105799.tif 000005
【図４】
2005105799.tif 000006
【図５】
2005105799.tif 000007
【図６】
2005105799.tif 000008
【図７】
2005105799.tif 000009
【図８】
2005105799.tif 000010
【図９】
2005105799.tif 000011
【図１０】
2005105799.tif 000012
【図１１】
2005105799.tif 000013
【図１２】
2005105799.tif 000014
【図１３】
2005105799.tif 000015
【図１４】
2005105799.tif 000016